(57)【要約】【課題】最適に設定された調光度を記憶し、電源の再投入後にも最適な調光度を容易に再現することができる点灯装置および照明装置を提供する。【解決手段】実施形態に係る点灯装置は、第１電力を入力して照明負荷に供給する第２電力に変換し、前記照明負荷を点灯させる電力変換部と、前記照明負荷の調光度に関する記憶値を格納する不揮発性の記憶部と、外部からの指示にもとづいて前記照明負荷の点灯時の現在の調光度を前記記憶部に記憶値として格納するとともに、前記第１電力が再度投入されたときには、前記記憶部に格納された前記記憶値の調光度で前記照明負荷を点灯するように前記電力変換部に指令する調光制御部と、を具備する。【選択図】図１
2018055792.tif 000002
【特許請求の範囲】
【請求項１】
第１電力を入力して照明負荷に供給する第２電力に変換し、前記照明負荷を点灯させる電力変換部と、
前記照明負荷の調光度に関する記憶値を格納する不揮発性の記憶部と、
外部からの指示にもとづいて前記照明負荷の点灯時の現在の調光度を前記記憶部に記憶値として格納するとともに、前記第１電力が再度投入されたときには、前記記憶部に格納された前記記憶値の調光度で前記照明負荷を点灯するように前記電力変換部に指令する調光制御部と、
を具備したことを特徴とする点灯装置。
【請求項２】
外部の通信装置と双方向の通信を行うことができる通信部をさらに備え、
前記通信部は、前記通信装置からの制御信号を前記外部からの指示として受信することを特徴とする請求項１記載の点灯装置。
【請求項３】
前記電力変換部は、前記調光制御部からの指令を受ける調光回路を有し、前記通信部と前記調光回路とは異なる電源部によって電力が供給されることを特徴とする請求項１または２に記載の点灯装置。
【請求項４】
請求項１〜３のいずれか１つに記載された点灯装置と、
前記点灯装置によって点灯される照明負荷と、
を備えた照明装置。
【請求項５】
第１電力を入力して第１照明負荷に供給する第２電力に変換し、前記第１照明負荷を点灯させる第１電力変換部と、
前記第１電力を入力して、前記第１照明負荷とは異なる第２照明負荷に供給する第３電力に変換し、前記第２照明負荷を点灯させる第２電力変換部と、
前記第１照明負荷の調光度に関する第１記憶値および前記第２照明負荷の調光度に関する第２記憶値を格納する不揮発性の記憶部と、
外部からの指示にもとづいて、前記第１照明負荷の点灯時の現在の第１調光度を第１記憶値として格納し、前記第２照明負荷の点灯時の現在の第２調光度を第２記憶値として格納し、前記第１電力が再度投入されたときには、前記記憶部に格納された前記第１調光度で前記第１照明負荷を点灯し、前記第２調光度で前記第２照明負荷を点灯するように前記電力変換部に指令する調光制御部と、
を具備したことを特徴とする点灯装置。
【発明の詳細な説明】
【技術分野】
【０００１】
本発明の実施形態は、点灯装置および照明装置に関する。
【背景技術】
【０００２】
点灯時の明るさを、リモコン等を操作することによって調整することができる調光機能付きの照明装置がある。このような照明装置をリモコンで操作する場合、消灯から点灯させるときにリモコンからの操作信号によって点灯時の調光度が決定される。また、一旦電源を遮断して再度電源を投入すると、多くは全点灯等の出荷時設定の調光度で点灯する。そのため、出荷時設定の調光度と電源の投入後に実現したい調光度に相違がある場合には、その都度、リモコン等で調光度の設定を行う必要がある。
【０００３】
たとえば、美術館や博物館等の展示物に対する照明の場合には、照明の対象物ごとに最適な調光度があり、点灯装置ごとに最適な調光度が設定される。
【０００４】
調光器が接続される照明装置においては、調光器を最適な調光度に設定しておけば照明を消灯しても再点灯時に消灯前の調光度を再現することができる。しかし、リモコン等で調光度を設定する照明装置では再点灯時に所望の調光度を再現するために再調整が必要となるため、多大な時間を要する。
【先行技術文献】
【特許文献】
【０００５】
【特許文献１】特開２０１６−０３１８６４号公報
【発明の概要】
【発明が解決しようとする課題】
【０００６】
実施形態は、最適に設定された調光度を記憶し、電源の再投入後にも最適な調光度を容易に再現することができる点灯装置および照明装置を提供する。
【課題を解決するための手段】
【０００７】
実施形態に係る点灯装置は、第１電力を入力して照明負荷に供給する第２電力に変換し、前記照明負荷を点灯させる電力変換部と、前記照明負荷の調光度に関する記憶値を格納する不揮発性の記憶部と、外部からの指示にもとづいて前記照明負荷の点灯時の現在の調光度を前記記憶部に記憶値として格納するとともに、前記第１電力が再度投入されたときには、前記記憶部に格納された前記記憶値の調光度で前記照明負荷を点灯するように前記電力変換部に指令する調光制御部と、を具備する。
【発明の効果】
【０００８】
本実施形態では、電気的に書き換え可能な不揮発性メモリを含む記憶部を有する調光制御部を備えているので、最適に設定された調光度を記憶し、電源の再投入後にも最適な調光度を容易に再現することができる。
【図面の簡単な説明】
【０００９】
【図１】第１の実施形態に係る点灯装置を例示するブロック図である。
【図２】第１の実施形態の点灯装置の動作を説明するための模式図である。
【図３】第１の実施形態の点灯装置の動作を説明するためのフローチャートの例である。
【図４】第１の実施形態の点灯装置の動作を説明するためのフローチャートの例である。
【図５】第２の実施形態に係る照明装置を例示するブロック図である。
【発明を実施するための形態】
【００１０】
以下、図面を参照しつつ、本発明の実施形態について説明する。
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
なお、本願明細書と各図において、既出の図に関して前述したものと同様の要素には、同一の符号を付して詳細な説明を適宜省略する。
【００１１】
（第１の実施形態）
図１は、本実施形態に係る点灯装置を例示するブロック図である。
図１に示すように、本実施形態の点灯装置２０は、電力変換部２２と、調光制御部３０と、を備える。点灯装置２０は、電源端子２１ａ，２１ｂと、出力端子２１ｃ，２１ｄと、を含む。
【００１２】
点灯装置２０は、電源端子２１ａ，２１ｂを介して入力電源１に接続される。入力電源１は、たとえば商用の交流電源である。点灯装置２０は、出力端子２１ｃ，２１ｄを介して、発光モジュール５０に接続されている。点灯装置２０は、入力電源１から電力の供給を受けて、適切な電力変換を行って発光モジュール５０を点灯させる電力を供給する。
【００１３】
入力電源１と点灯装置２０との間には、スイッチ２が設けられている。スイッチ２を閉じた場合に、入力電源１から点灯装置２０に電力が供給される。スイッチ２を開いた場合に、点灯装置２０が動作する電力が遮断される。スイッチ２は、たとえば壁スイッチである。あるいは、スイッチ２は分電盤等のスイッチである。点灯装置２０は、調光度を設定することによって、たとえば消灯から全点灯まで調光することが可能だが、スイッチ２によって点灯装置２０への電力供給を遮断して、消灯時の事故を防止し、消費電力を低減する。
【００１４】
発光モジュール５０は、発光素子５２を含む。発光モジュール５０は、複数の発光素子５２を含んでもよい。その場合には、発光素子５２は、直列に接続される。また、直列に接続された発光素子の直列接続体を並列に接続するようにしてもよい。発光素子５２は、たとえば、発光ダイオード（Light Emitting Diode、ＬＥＤ）や有機発光ダイオード（Organic Light Emitting Diode、ＯＬＥＤ ）である。
【００１５】
点灯装置２０および発光モジュール５０は、たとえば一体として構成され照明装置１０を形成する。なお、照明装置１０は、点灯装置２０と発光モジュール５０を備えていればよく、必ずしも一体として構成されていなくともよい。発光モジュール５０は、たとえば着脱可能に点灯装置２０に接続されるようにしてもよい。
【００１６】
電力変換部２２は、整流平滑回路２３と、ＤＣ−ＤＣコンバータ２４と、調光回路２５と、を含む。
【００１７】
整流平滑回路２３は、入力電源１の交流電圧を整流平滑して直流電圧に変換して出力する。整流平滑回路２３は、たとえば整流ダイオードブリッジおよび平滑コンデンサを含んでいる。点灯装置２０の出力電力容量にしたがって、整流平滑回路２３は、力率改善回路を含んでもよい。
【００１８】
ＤＣ−ＤＣコンバータ２４は、整流平滑回路２３の出力に接続されている。ＤＣ−ＤＣコンバータ２４は、整流平滑回路２３から供給される直流電圧を、発光モジュール５０に供給する直流電流または直流電圧に変換する。ＤＣ−ＤＣコンバータ２４は、発光モジュール５０にたとえば定電流を供給する。発光モジュール５０に供給する定電流値は、調光回路２５からの出力にしたがって設定される。
【００１９】
ＤＣ−ＤＣコンバータ２４は、たとえば降圧型のチョッパ回路である。ＤＣ−ＤＣコンバータの回路形式は、入出力電圧や出力電力容量等によって最適なものが選定される。
【００２０】
調光回路２５は、調光制御部３０の出力に接続されている。調光回路２５の出力は、ＤＣ−ＤＣコンバータ２４に接続されている。調光回路２５は、調光制御部３０から供給されるＰＷＭ信号にもとづいて、発光モジュール５０に供給する電流値を設定する。調光回路２５はＤＣ−ＤＣコンバータ２４から発光モジュールに供給する出力電圧、出力電流、出力電力等を検出し、ＰＷＭ信号にもとづいて設定した電流値に一致するように、ＤＣ−ＤＣコンバータ２４に制御信号を供給する。すなわち、ＤＣ−ＤＣコンバータ２４と調光回路２５とでフィードバック制御が行われる。
【００２１】
調光制御部３０は、制御部３１と、記憶部３２と、を含む。調光制御部３０は、通信部３３をさらに含む。
【００２２】
調光制御部３０は、記憶部３２に格納された調光度に応じて、ＰＷＭ信号を生成して、ＰＷＭ信号を電力変換部２２に供給する。調光制御部３０は、通信部３３を介して、外部の通信装置６０とデータを交換する。調光制御部３０は、通信部３３を介して、通信装置６０に現在設定されている調光度に関するデータを送信する。調光制御部３０は、通信部３３を介して、通信装置６０から送信されるデータを記憶部３２に格納する。
【００２３】
制御部３１は、調光制御部３０の動作を統括的に制御する。具体的には、制御部３１は、記憶部３２に格納されている調光度に関するデータを読み出す。制御部３１は、読み出した調光度に関するデータにもとづいて、ＰＷＭ信号を生成する。制御部３１は、生成したＰＷＭ信号をＤＣ−ＤＣコンバータ２４の調光回路２５に供給する。
【００２４】
また、制御部３１は、記憶部３２に格納されている調光度に関するデータを通信部３３に供給する。供給された調光度に関するデータは、通信部３３によって、所定の通信形式のデータに変換される。制御部３１は、通信部３３に対して、変換された所定の通信形式のデータを送信するように指令する。
【００２５】
さらに、制御部３１は、通信部３３が受信したデータを取得する。通信部３３が受信するデータは、所定の通信形式のデータであって調光度に関するデータを含んでいる。制御部３１は、通信部３３が受信したデータから調光度に関するデータを抽出して、調光度に対応するＰＷＭ信号を調光回路２５に供給するとともに、受信した調光度を現在の点灯状態として記憶部３２に格納する。
【００２６】
記憶部３２は、揮発性メモリおよび不揮発性メモリを含む。不揮発性メモリのすべて、または一部は、電気的にデータの書き換えが可能なメモリ、すなわちＥＥＰＲＯＭ（Electrically Erasable Programmable Read-Only Memory）である。記憶部３２は、制御部３１と一体（内蔵）されていてもよく、別体でバス等によって制御部３１に接続されていてもよい。
【００２７】
調光回路２５に供給しているＰＷＭ信号に相当する調光度は、現在の点灯状態として、たとえば記憶部３２の揮発性メモリに現在の調光度が記憶される。また、記憶部３２は、制御部３１の指令によって、揮発性メモリに記憶された現在の点灯状態としての現在の調光度を不揮発性メモリに調光度に関するデータ（記憶値）として格納される。調光度に関するデータは、たとえばＥＥＰＲＯＭの部分に格納され、制御部３１の指令によって書き換えられる。記憶部３２に格納される調光度に関するデータは、データの書き換え時に上書きされてもよい。つまり、制御部３１が調光度に関するデータを読み出す場合には、記憶部３２には、書き換えを行った直後の調光度のデータが読み出される。
【００２８】
制御部３１は、たとえばマイクロコンピュータやマイクロコントローラ等のプログラムで動作する制御デバイスである。制御部３１は、たとえば記憶部３２に格納されたプログラムの各ステップに応じて動作する。制御部３１の動作のためのプログラムは記憶部３２に格納されていてもよく、他の記憶デバイスに格納してもよい。
【００２９】
通信部３３は、好ましくは、無線通信インタフェースを含む。通信部３３は、無線通信インタフェースのための変調回路、送信回路、受信回路および復調回路等を含んでいる。通信部３３は、たとえばＢＬＵＥＴＯＯＴＨ（登録商標）通信モジュールである。ＢＬＵＥＴＯＯＴＨ（登録商標）通信モジュールである通信部３３は、接続が確立していない場合であっても、通信接続の対象を探索するために、あらかじめ設定された所定の間隔で間欠的に動作している。
【００３０】
通信部３３の通信プロトコルをＢＬＵＥＴＯＯＴＨ（登録商標）とすることによって、簡便に接続相手を探して、互いの接続を確立することができる。
【００３１】
通信部３３は、双方向に通信することができれば、他の通信インタフェースを含んでももちろんかまわない。通信部３３は、たとえば公衆通信ネットワークに接続して、インタネット経由で通信装置６０と接続するようにしてもよい。
【００３２】
調光制御部３０は、補助電源部３５を含む。補助電源部３５は、この例では、電力変換部２２の整流平滑回路２３の出力に接続されている。
【００３３】
補助電源部３５の出力には、ローカル電源３６，３７が接続されている。ローカル電源３６は、補助電源部３５の出力をさらに降圧して、調光回路２５、制御部３１および記憶部３２に供給する。制御部３１および記憶部３２は、ローカル電源３６から供給される電源で動作する。つまり、制御部３１が電力変換部２２の調光回路２５に供給するＰＷＭ信号は、ローカル電源３６による電源にもとづいて生成される。また、ローカル電源３６は、調光回路２５の電源を供給する。調光回路２５は制御部３１からの調光信号としてのＰＷＭ信号を受けてＤＣ−ＤＣコンバータ２４をフィードバック制御する。
【００３４】
ローカル電源３７は、補助電源部３５の出力をさらに降圧して、通信部３３に供給する。通信部３３は、ローカル電源３７から供給される電源で動作する。
【００３５】
ローカル電源３６，３７は、いずれもたとえば３．３Ｖを出力する。制御部３１、記憶部３２の電源は、通信部３３の電源と別電源であり、分離されている。また、ローカル電源３６は、ＤＣ−ＤＣコンバータ２４をフィードバック制御する調光回路２５に対しても通信部３３とは別の電源を供給する。たとえば、通信部３３が、通信接続相手を探索するときや、通信を行うために間欠的に動作しても、調光回路２５、制御部３１および記憶部３２への影響を小さくすることができる。特に、フィードバック制御を行う調光回路２５へ供給する電源を通信部３３へ供給する電源と分けたことによって通信部３３の間欠動作がフィードバック系に影響し発光素子５２が点灯時にちらつくという不具合を防止することができる。
【００３６】
本実施形態の点灯装置２０の動作について説明する。
図２は、本実施形態の点灯装置の動作を説明するための模式図である。
図２には、例として、美術館の展示室内の様子が示されている。展示室には、展示物Ｅ１〜Ｅ４が展示されている。展示室の天井には、ライト固定用のレール５５が複数設けられている。１つのレール５５に複数の点灯装置２０が設置され、各点灯装置２０は、いずれかの展示物Ｅ１〜Ｅ４に向けられている。
【００３７】
それぞれの展示物Ｅ１〜Ｅ４には、１つまたは複数の点灯装置２０が向けられており、この例では、展示物Ｅ１には、３つの点灯装置２０ａ〜２０ｃが向けられており、他の展示物Ｅ２〜Ｅ４には、１つの点灯装置２０が向けられている。この例では、説明の便宜のために、点灯装置２０，２０ａ〜２０ｃは、すべて同一の点灯装置であるものとするが、これに限定されるものではないのはいうまでもなく、点灯装置のすべてまたは一部が相違する出力電力容量等を有してももちろんかまわない。
【００３８】
各点灯装置２０，２０ａ〜２０ｃは、通信装置６０によって、調光度の設定が行われる。通信装置６０は、たとえば無線通信端末である。通信装置６０は、たとえばスマートフォンであり、点灯装置２０の調光度設定用の専用のアプリケーションソフトが組み込まれており、専用の無線通信端末として用いられる。
【００３９】
通信プロトコルは、好ましくは、ＢＬＵＥＴＯＯＴＨ（登録商標）である。点灯装置２０，２０ａ〜２０ｃと、通信装置６０とが通信可能距離に達すると、ペアリングによって接続が試みられ、相互の接続を確立することができる。相互の接続が確立するごとに、通信装置６０の表示画面には、各点灯装置２０，２０ａ〜２０ｃのアドレス、名称、現在の調光度が表示される。
【００４０】
展示物Ｅ１に対する点灯装置の名称をＥ１ａ，Ｅ１ｂ，Ｅ１ｃのようにした場合に、図２に示すように、通信装置６０に表示画面には、それぞれの点灯装置（Ｅ１ａ，Ｅ１ｂ，Ｅ１ｃ）の調光度が表示される。なお、図示しないが他の展示物についても同様に展示物ごとに調光度が表示される。
【００４１】
通信装置６０の操作者は、通信装置６０のアプリケーションソフト上で、それぞれの点灯装置の調光度を設定し、各点灯装置に調光度の設定値を送信することができる。たとえば、点灯装置Ｅ１ａに対して、当初５０％であった調光度を７０％に変更して、新たな設定値として点灯装置Ｅ１ａに送信すると、点灯装置Ｅ１ａは、７０％の調光度で点灯する。
【００４２】
この例のように、１つの展示物について複数の点灯装置が割り当てられている場合には、複数の点灯装置のそれぞれについて調光度を調整することができる。
【００４３】
フローチャートを用いてより詳細に説明する。
図３および図４は、本実施形態の点灯装置の動作を説明するためのフローチャートの例である。
図３に示すように、ステップＳ１において、スイッチ２が投入されることによって電力変換部２２に電源が供給される。整流平滑回路２３は、入力された電圧に応じた直流電圧を出力する。直流電圧が所定の電圧に達することによって、ＤＣ−ＤＣコンバータ２４は、起動する。
【００４４】
ここで、調光制御部３０には、動作可能な電源が供給されていないので、電力変換部２２の調光回路２５の入力はプルダウン等され、たとえば調光度０％となるように設定されている。調光回路２５は、たとえばローレベル（０Ｖ）を出力する。したがって、このときには、発光モジュール５０は消灯している。
【００４５】
補助電源部３５およびローカル電源３６を介して制御部３１および記憶部３２に電源が供給される。ステップＳ２において、制御部３１は、供給される電圧が所定の値に達するまで待機し、所定の電圧に達した後に初期化動作を行って、次のステップに移行する。ここで、所定の電圧は、制御部３１のパワーオンリセットのための電圧であり、パワーオンリセット電圧を超えたときには、制御部３１は初期化動作を行う。制御部３１は初期化動作終了後にプログラムにしたがい動作する。
【００４６】
ステップＳ３において、制御部３１は、記憶部３２から調光度に関するデータを読み出す。制御部３１は、読み出した調光度に関するデータを用いて、対応するＰＷＭ信号を生成する。
【００４７】
ステップＳ４において、制御部３１は、生成したＰＷＭ信号を出力する。出力されたＰＷＭ信号は、電力変換部２２の調光回路２５に供給される。
【００４８】
ステップＳ５において、調光回路２５は、供給されたＰＷＭ信号にもとづく調光度にしたがう電流値を設定し、発光モジュールへの出力電流が設定した電流値になるようにＤＣ−ＤＣコンバータ２４を制御する。
【００４９】
このようにして、点灯装置２０は、記憶部３２に格納された記憶値にしたがう調光度で点灯することができる。
【００５０】
次に通信装置６０と点灯装置２０との間の通信によって、現在の調光度および記憶値を表示し、現在の調光度および記憶値を変更する場合の動作について説明する。
図４に示すように、点灯装置２０は電源投入によって上述したように記憶値の調光度で点灯を開始する。次に、通信装置６０と点灯装置２０とは、どちらか一方が通信相手を探索する。本実施例では点灯装置２０に電源投入後、点灯装置が通信相手を探索し、通信装置６０が通信可能距離に達し、相手の識別データを受信したことによって、接続動作を開始する（接続要求）。ステップＳ１０において、通信装置６０および点灯装置２０は、どちらか一方の接続要求に応じて接続を確立する。
【００５１】
ステップＳ１１において、通信装置６０は、現在の調光度および記憶値をそれぞれ点灯装置２０に対して要求する。
【００５２】
ステップＳ１２において、点灯装置２０の通信部３３は、データ要求を受信した旨のフラグを通信装置６０に返す。通信部３３を介して、データ要求を受けたことを認識した点灯装置２０の制御部３１は、記憶部３２から現在の調光度および記憶値を読み出す。点灯装置２０に電源が投入されたときには、点灯装置２０は、記憶部３２に記憶された記憶値にもとづいて点灯する。そのため、現在の調光度および記憶値は同じ調光度となる。制御部３１は、読み出した現在の調光度および記憶値を、通信部３３を介して送信する。記憶部３２に格納されている現在の調光度および記憶値は、それぞれ５０％であり、点灯装置２０は、５０％の調光度で点灯している。
【００５３】
ステップＳ１３において、通信装置６０は、現在の調光度および記憶値を受信し、受信したデータを表示する。通信装置６０の表示画面には、点灯装置２０の現在の調光度および記憶値がそれぞれ５０％であることが表示される。
【００５４】
通信装置６０の操作者が調光度を変更したときには、ステップＳ１４において、通信装置６０は、現在の調光度の表示を新たな調光度の表示に変更するとともに、新たな調光度で点灯する要求を点灯装置２０に送信する。新たな調光度は、たとえば７０％である。このとき、通信装置６０の表示部には、記憶値（５０％）がそのまま表示されている。
【００５５】
ステップＳ１５において、点灯装置２０の通信部３３は、データ変更要求を受信した旨のフラグを通信装置６０に返す。通信部３３を介して新たな調光度による点灯要求を受けた点灯装置２０の制御部３１は、記憶部３２の揮発性メモリに変更後の調光度７０％を現在の調光度として格納する。なお、現在の調光度は、電源を遮断すると一旦データが消えるが、不揮発性メモリに記憶しておき都度更新するようにしてもよい。調光制御部３１は、変更後の調光度に応じたＰＷＭ信号を生成する。ここで、点灯装置２０は、新たな調光度７０％で点灯しているが記憶値は５０％のままである。したがって、この状態で電源を一旦遮断し、再度電源を投入したときには、点灯装置２０は、図３のフローチャートにしたがって、調光度５０％で点灯することになる。なお、現在の調光度と記憶値の調光度とが不一致の状態の場合には、通信装置６０からの所定の信号にもとづいて、現在の調光度を記憶値の調光度に変更するようにしてもよい。
【００５６】
次に、ステップＳ１６において、通信装置６０が外部からの指示として記憶値の更新指示を出して点灯装置２０の記憶値の更新を行う。まず、通信装置６０は、現在の調光度が記憶値になるように表示が変更されるとともに点灯装置２０に変更指示を送信する。ステップＳ１６では、現在の調光度が７０％、記憶値が７０％として通信装置６０に表示される。
【００５７】
ステップＳ１７では、更新指示を受けた点灯装置２０が揮発性メモリに記憶された現在の調光度を読み出し、不揮発性メモリに記憶値として記憶する。つまり、現在の調光度７０％を記憶値７０％として記憶する。このように、通信装置６０の指示によって、点灯装置２０の記憶値が更新される。点灯装置２０は、記憶値を変更した旨のフラグを通信装置６０に送信する。
【００５８】
通信装置６０によって調光度を設定する操作者は、すべての点灯装置に対して、適切な調光度となるよう調整するため、上述の操作を繰り返す。
【００５９】
本実施形態の点灯装置の効果について説明する。
本実施形態の点灯装置２０は、電気的に書き換え可能な不揮発性メモリに調光度に関するデータを記憶値として格納している。そのため、点灯装置の調光度を調整し、一旦設定した状態を記憶値として点灯装置に記憶しておくことができる。このため、設定後に調光度を変更しても、入力電源１を遮断した後、再起動したときには、記憶値に格納した調光度、すなわち一度設定した調光度で点灯させることができる。このように、調光度を変更しながら記憶値を更新していくことで所望の点灯状態を容易に設定することができる。また、点灯装置２０に調光度を記憶値として記憶させておくので、電源投入後通信装置との双方向通信が確立する前に記憶値で点灯させることが可能となる。
【００６０】
また、本実施形態の点灯装置２０は、外部の通信装置６０と双方向に通信することができる通信部３３を有するので、通信装置６０に現在の設定の調光度のデータを送信することができる。また、点灯装置２０は、通信部３３を介して、通信装置６０からの調光度の設定の変更要求を受信することができる。そのため、点灯装置２０は、通信装置６０からの要求にしたがって、調光度を設定し、設定された調光度を通信装置６０に認識させることができる。
【００６１】
通信プロトコルをＢＬＵＥＴＯＯＴＨ（登録商標）とした場合には、数ｍ〜１０ｍ程度の範囲内において、通信装置６０と点灯装置２０とを接続することができる。そして、通信装置６０は、複数の点灯装置２０と同時に接続することができる。
【００６２】
上記で説明したように、美術館や博物館等の展示物に対する照明は、展示物ごとに最適な調光度で設定する必要があり、展示物とその照明効果を確認しながら、操作者が調光度を設定する必要がある。本実施形態の点灯装置２０では、スマートフォン等を用いることによって、複数の点灯装置による展示物への照明効果を確認しながら調光度の設定を行うことが可能になる。
【００６３】
通信プロトコルにＢＬＵＥＴＯＯＴＨ（登録商標）のような近距離通信プロトコルを用いることによって、複数の点灯装置の調光度設定を同時に行うことが可能になるとともに、特別な通信回線を配設することなく、簡便に相互のデータ通信が可能になる。
【００６４】
電気的に書き換え可能な不揮発性メモリに調光度に関するデータを格納することによって、美術館や博物館等の閉館後に電源を遮断することができ、次回開館後に設定した調光度を容易に再現させることができる。
【００６５】
（第２の実施形態）
第１の実施形態の場合では、単色光の調光度を設定し、変更する例について説明した。本実施形態では、複数の発光色の発光モジュールを混色することによって調光とともに調色を行い、演色性の高い照明装置を提供する。
図５は、本実施形態に係る照明装置を例示するブロック図である。
本実施形態の場合に、第１の実施形態の場合と同一の構成要素については、同一の符号を付して詳細な説明を省略する。
図５に示すように、本実施形態の照明装置１００は、複数の電力変換部２２を備える。各電力変換部２２は、異なる発光色を有する発光モジュール５０Ｒ，５０Ｇ，５０Ｂに接続されている。発光モジュール５０Ｒ，５０Ｇ，５０Ｂは、それぞれ赤色、緑色および青色を発光する発光素子を含む。発光モジュールの発光色は、任意に設定することができる。
【００６６】
照明装置１００は、調光制御部１３０を備える。調光制御部１３０は、制御部１３１と、記憶部１３２と、通信部１３３と、を含む。
【００６７】
制御部１３１は、複数の電力変換部２２のそれぞれに調光度にもとづくＰＷＭ信号を供給する。制御部１３１は、通信部３３を介して外部の通信装置６０に接続することができる。制御部１３１は、１つの記憶部１３２から調光度に関するデータを読み出して、各発光モジュール５０Ｒ，５０Ｇ，５０Ｂに対する調光度を設定するＰＷＭ信号を生成する。
【００６８】
制御部１３１は、通信部１３３を介して、通信装置６０から送信される各発光モジュール５０Ｒ，５０Ｇ，５０Ｂに対する調光度の設定値を受信し、記憶部１３２にそれぞれを格納する。
【００６９】
制御部１３１は、記憶部１３２に格納されている発光モジュール５０Ｒ，５０Ｇ，５０Ｂに対する調光度のデータを読み出して、通信装置６０に送信する。
【００７０】
通信部１３３は、制御部１３１および記憶部１３２の電源と分離して供給される。
【００７１】
本実施形態の照明装置１００によれば、発光モジュール５０Ｒ，５０Ｇ，５０Ｂ各色の調光度をそれぞれ設定することができるので、美術館や博物館等の展示物に対して、より高度な演色効果を実現することができる。
【００７２】
最適に設定された調光度を記憶し、電源の再投入後にも最適な調光度を容易に再現することができる点灯装置および照明装置を実現することができる。
【００７３】
以上、本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明およびその等価物の範囲に含まれる。また、前述の各実施形態は、相互に組み合わせて実施することができる。
【符号の説明】
【００７４】
１  入力電源、２  スイッチ、１０，１００  照明装置、２０  点灯装置、２２  電力変換部、２３  整流平滑回路、２４  ＤＣ−ＤＣコンバータ、２５  調光回路、３０，１３０  調光制御部、３１，１３１  制御部、３２，１３２  記憶部、３３，１３３  通信部、３５  補助電源部、３６，３７  ローカル電源、５０，５０Ｒ，５０Ｇ，５０Ｂ  発光モジュール、５２  発光素子、６０  通信装置
【図１】
2018055792.tif 000003
【図２】
2018055792.tif 000004
【図３】
2018055792.tif 000005
【図４】
2018055792.tif 000006
【図５】
2018055792.tif 000007